(57)【要約】【課題】サイズが大きくなった表示パネルに十分な駆動電源を供給することができる有機発光表示装置を提供する。【解決手段】本発明による有機発光表示装置は、光を発光する有機発光素子を含む表示領域および表示領域と隣接する複数の周辺領域を含む表示パネル、複数の周辺領域のうちの一つの周辺領域に対応して配置されて、有機発光素子に駆動電源を供給する駆動部、複数の周辺領域の各々に対応して各々が表示パネルと連結され、駆動部から駆動電源の供給を受けて、有機発光素子に駆動電源を伝達する複数の電源伝達部、および駆動部と電源伝達部との間および複数の電源伝達部のうちの隣接する電源伝達部の間のうちの一つ以上の間を連結して、駆動電源を駆動部から電源伝達部に伝達する電源連結部を含む。【選択図】図１
2011141515.tif 000002
【特許請求の範囲】
【請求項１】
光を発光する有機発光素子を含む表示領域および前記表示領域と隣接する複数の周辺領域を含む表示パネル、
前記複数の周辺領域のうちの一つの周辺領域に対応して配置されて、前記有機発光素子に駆動電源を供給する駆動部、
前記複数の周辺領域の各々に対応して各々が前記表示パネルと連結され、前記駆動部から前記駆動電源の供給を受けて、前記有機発光素子に前記駆動電源を伝達する複数の電源伝達部、および
前記駆動部と前記電源伝達部との間および前記複数の電源伝達部のうちの隣接する電源伝達部の間のうちの一つ以上の間を連結して、前記駆動電源を前記駆動部から前記電源伝達部に伝達する電源連結部を含むことを特徴とする、有機発光表示装置。
【請求項２】
前記駆動電源は、第１電源および第２電源を含み、
前記有機発光素子は、
前記第１電源が供給される第１電極、
前記第１電極上に位置する有機発光層、および
前記有機発光層上に位置して、前記第２電源が供給される第２電極を含むことを特徴とする、請求項１に記載の有機発光表示装置。
【請求項３】
前記電源連結部と前記駆動部との間の連結および前記電源連結部と前記電源伝達部との間の連結のうちの一つ以上は、コネクタを利用して行われることを特徴とする、請求項２に記載の有機発光表示装置。
【請求項４】
前記表示領域は、前記表示パネルの板面上で四角形に形成され、
前記複数の周辺領域は、前記四角形の第１辺に対応する第１周辺領域、
前記四角形の第１辺と隣接する第２辺に対応する第２周辺領域、
前記四角形の第１辺と隣接すると同時に前記第２辺と対向する第３辺に対応する第３周辺領域、および
前記四角形の第１辺と対向する第４辺に対応する第４周辺領域を含み、
前記駆動部は、前記第１周辺領域に対応して配置されることを特徴とする、請求項３に記載の有機発光表示装置。
【請求項５】
前記複数の電源伝達部は、
前記第２周辺領域に対応して前記表示パネルと前記駆動部との間を連結する第１電源伝達部、
前記第３周辺領域に対応して前記表示パネルと前記駆動部との間を連結する第２電源伝達部、および
前記第４周辺領域に対応して前記表示パネルと前記電源連結部との間を連結する第３電源伝達部を含むことを特徴とする、請求項４に記載の有機発光表示装置。
【請求項６】
前記第３電源伝達部は複数であり、
隣接する前記第３電源伝達部は互いに離隔されていることを特徴とする、請求項５に記載の有機発光表示装置。
【請求項７】
前記複数の電源伝達部は、
前記第１周辺領域に対応して前記表示パネルと前記駆動部との間を連結する第４電源伝達部、
前記第２周辺領域に対応して前記表示パネルと前記電源連結部との間を連結する第５電源伝達部、
前記第３周辺領域に対応して前記表示パネルと前記電源連結部との間を連結する第６電源伝達部、および
前記第４周辺領域に対応して前記表示パネルと前記電源連結部との間を連結する第７電源伝達部を含むことを特徴とする、請求項４に記載の有機発光表示装置。
【請求項８】
前記第４電源伝達部、前記第５電源伝達部、前記第６電源伝達部、および前記第７電源伝達部は各々複数であることを特徴とする、請求項７に記載の有機発光表示装置。
【請求項９】
前記複数の第７電源伝達部のうちの前記第５電源伝達部と隣接する前記第７電源伝達部は前記電源連結部を通して前記第５電源伝達部と連結され、
前記複数の第７電源伝達部のうちの前記第６電源伝達部と隣接する前記第７電源伝達部は前記電源連結部を通して前記第６電源伝達部と連結されることを特徴とする、請求項８に記載の有機発光表示装置。
【請求項１０】
前記電源伝達部は、フレキシブルプリント回路基板（ＦＰＣＢ）であり、
前記電源連結部は、フレキシブルフラットケーブル（ＦＦＣ）であることを特徴とする、請求項１〜９のいずれか１項に記載の有機発光表示装置。
【発明の詳細な説明】
【技術分野】
【０００１】
本発明は有機発光表示装置に関し、より詳しくは、駆動部から供給される駆動電源によって発光される有機発光素子を含む有機発光表示装置に関する。
【背景技術】
【０００２】
表示装置はイメージを表示する装置であり、最近では、有機発光表示装置（ｏｒｇａｎｉｃ  ｌｉｇｈｔ  ｅｍｉｔｔｉｎｇ  ｄｉｏｄｅ  ｄｉｓｐｌａｙ）が注目されている。
【０００３】
有機発光表示装置は、自発光特性を有し、液晶表示装置（ｌｉｑｕｉｄ  ｃｒｙｓｔａｌ  ｄｉｓｐｌａｙ  ｄｅｖｉｃｅ）とは異なって別途の光源が不要であるため、厚さおよび重量を減らすことができる。また、有機発光表示装置は、低電力、高い輝度、および高い反応速度などの高品位特性を有する。
【０００４】
従来の有機発光表示装置は、有機発光素子（ｏｒｇａｎｉｃ  ｌｉｇｈｔ  ｅｍｉｔｔｉｎｇ  ｄｉｏｄｅ）を含む表示パネル、および表示パネルの一側と接続されていて、有機発光素子に駆動電源を供給する駆動部を含む。
【０００５】
最近では、表示パネルのサイズが大きくなるのに伴って表示パネルに含まれている有機発光素子の数が増加し、これによって表示パネルに含まれている有機発光素子により多くの駆動電源が必要となった。
【発明の概要】
【発明が解決しようとする課題】
【０００６】
しかし、従来の有機発光表示装置は、駆動部が表示パネルの一側と接続されているため、サイズが大きくなった表示パネルでは、表示パネルに含まれている有機発光素子に十分な駆動電源を供給し難い問題があった。
【０００７】
本発明は、前述した問題を解決するためのものであって、本発明の目的は、サイズが大きくなった表示パネルに十分な駆動電源を供給することができる有機発光表示装置を提供することである。
【課題を解決するための手段】
【０００８】
前述した技術的課題を達成するための本発明の一側面は、光を発光する有機発光素子を含む表示領域および表示領域と隣接する複数の周辺領域を含む表示パネル、複数の周辺領域のうちの一つの周辺領域に対応して配置されて、有機発光素子に駆動電源を供給する駆動部、複数の周辺領域の各々に対応して各々が表示パネルと連結され、駆動部から駆動電源の供給を受けて、有機発光素子に駆動電源を伝達する複数の電源伝達部、および駆動部と電源伝達部との間および複数の電源伝達部のうちの隣接する電源伝達部の間のうちの一つ以上の間を連結して、駆動電源を駆動部から電源伝達部に伝達する電源連結部を含む、有機発光表示装置を提供する。
【０００９】
駆動電源は、第１電源および第２電源を含み、有機発光素子は、第１電源が供給される第１電極、第１電極上に位置する有機発光層、および有機発光層上に位置して、第２電源が供給される第２電極を含む。
【００１０】
電源連結部と駆動部との間の連結および電源連結部と電源伝達部との間の連結のうちの一つ以上は、コネクタ（ｃｏｎｎｅｃｔｏｒ）を利用して行われる。
【００１１】
表示領域は、表示パネルの板面上で四角形に形成され、複数の周辺領域は、四角形の第１辺に対応する第１周辺領域、四角形の第１辺と隣接する第２辺に対応する第２周辺領域、四角形の第１辺と隣接すると同時に第２辺と対向する第３辺に対応する第３周辺領域、および四角形の第１辺と対向する第４辺に対応する第４周辺領域を含み、駆動部は、第１周辺領域に対応して配置される。
【００１２】
複数の電源伝達部は、第２周辺領域に対応して表示パネルと駆動部との間を連結する第１電源伝達部、第３周辺領域に対応して表示パネルと駆動部との間を連結する第２電源伝達部、および第４周辺領域に対応して表示パネルと電源連結部との間を連結する第３電源伝達部を含む。
【００１３】
第３電源伝達部は複数であり、隣接する第３電源伝達部は互いに離隔される。
【００１４】
複数の電源伝達部は、第１周辺領域に対応して表示パネルと駆動部との間を連結する第４電源伝達部、第２周辺領域に対応して表示パネルと電源連結部との間を連結する第５電源伝達部、第３周辺領域に対応して表示パネルと電源連結部との間を連結する第６電源伝達部、および第４周辺領域に対応して表示パネルと電源連結部との間を連結する第７電源伝達部を含む。
【００１５】
第４電源伝達部、第５電源伝達部、第６電源伝達部、および第７電源伝達部は各々複数であってもよい。
【００１６】
複数の第７電源伝達部のうちの第５電源伝達部と隣接する第７電源伝達部は電源連結部を通して第５電源伝達部と連結され、複数の第７電源伝達部のうちの第６電源伝達部と隣接する第７電源伝達部は電源連結部を通して第６電源伝達部と連結される。
【００１７】
電源伝達部は、フレキシブルプリント回路基板（ｆｌｅｘｉｂｌｅ  ｐｒｉｎｔｅｄ  ｃｉｒｃｕｉｔｂｏａｒｄｄ、ＦＰＣＢ）であり、電源連結部は、フレキシブルフラットケーブル（ｆｌｅｘｉｂｌｅ  ｆｌａｔ  ｃａｂｌｅ、ＦＦＣ）である。
【発明の効果】
【００１８】
本発明により、サイズが大きくなった表示パネルに十分な駆動電源を供給することができる有機発光表示装置が提供される。
【図面の簡単な説明】
【００１９】
【図１】本発明の第１実施形態による有機発光表示装置を示した平面図である。
【図２】本発明の第１実施形態による有機発光表示装置の画素を示した回路図である。
【図３】本発明の第１実施形態による有機発光表示装置の画素の一部を示した断面図である。
【図４】本発明の第２実施形態による有機発光表示装置を示した平面図である。
【発明を実施するための形態】
【００２０】
以下、添付図面を参照して、本発明の多様な実施形態について、本発明が属する技術分野で通常の知識を有する者が容易に実施できるように詳しく説明する。しかし、本発明は多様な形態に具現され、ここで説明する実施形態に限られない。
【００２１】
本発明を明確に説明するために、説明に不要な部分は省略し、明細書全体にわたって同一または類似する構成要素については、同一な参照符号を付けた。
【００２２】
また、多様な実施形態において、同一な構成を有する構成要素については、同一な符号を使用して代表的に第１実施形態で説明し、その他の実施形態では第１実施形態と異なる構成についてのみ説明する。
【００２３】
また、図面に示された各構成の大きさおよび厚さは、説明の便宜のために任意に示したものであるため、本発明が必ずしも示されたとおりであるとは限らない。
【００２４】
図面では、複数の層および領域を明確に表現するために、厚さを拡大して示した。そして、図面においては、説明の便宜のために、一部の層および領域の厚さを誇張して示した。層、膜、領域、板などのある部分が他の部分の「上に」あるとする時、これは他の部分の「直上に」ある場合だけでなく、その中間にまた他の部分がある場合も含む。
【００２５】
また、明細書全体において、ある部分が他の構成要素を「含む」とする時、これは特に反対になる記載がない限り、他の構成要素を排除するのではなく、他の構成要素をさらに含むことができることを意味する。また、明細書全体において、「上に」とは、対象部分の上または下に位置することを意味し、必ずしも重力方向を基準にして上側に位置することを意味するものではない。
【００２６】
以下、図１〜図３を参照して、本発明の第１実施形態による有機発光表示装置１００１について説明する。
【００２７】
図１は本発明の第１実施形態による有機発光表示装置を示した平面図である。
【００２８】
図１に示したように、本発明の第１実施形態による有機発光表示装置１００１は、表示パネル１００、駆動部２００、電源伝達部３００、および電源連結部４００を含む。
【００２９】
表示パネル１００は、第１基板１１０および第２基板１２０が互いに合着密封されていて、表示領域（ＤＡ）および周辺領域（ＰＡ）を含む。
【００３０】
表示領域（ＤＡ）は複数の画素（ＰＥ）を含み、各画素（ＰＥ）には光を発光する有機発光素子（ｏｒｇａｎｉｃ  ｌｉｇｈｔ  ｅｍｉｔｔｉｎｇ  ｄｉｏｄｅ）７０（図２に表示）が形成されている。つまり、表示領域（ＤＡ）は、各画素（ＰＥ）から発光される光を利用してイメージ（ｉｍａｇｅ）を表示する領域である。表示領域（ＤＡ）は、第１辺（Ｓ１）、第１辺（Ｓ１）と隣接する第２辺（Ｓ２）、第１辺（Ｓ１）と隣接すると同時に第２辺（Ｓ２）に対向する第３辺（Ｓ３）、および第１辺（Ｓ１）と対向する第４辺（Ｓ４）を含む表示パネル１００の板面上で四角形に形成される。
【００３１】
本発明の第１実施形態による有機発光表示装置１００１の表示領域（ＤＡ）は四角形であるが、本発明の第２実施形態による有機発光表示装置の表示領域は三角形、多角形、または円形などであってもよい。
【００３２】
四角形の表示領域（ＤＡ）と隣接して、複数の周辺領域（ＰＡ）が位置している。
【００３３】
複数の周辺領域（ＰＡ）は、表示領域（ＤＡ）を囲んでいて、複数の駆動回路（ＤＣ）が形成されている。各駆動回路（ＤＣ）は、画素（ＰＥ）が駆動されるように画素（ＰＥ）に信号を伝達する役割を果たす。複数の周辺領域（ＰＡ）は、第１辺（Ｓ１）に対応する第１周辺領域（ＰＡ）、第２辺（Ｓ２）に対応する第２周辺領域（ＰＡ）、第３辺（Ｓ３）に対応する第３周辺領域（ＰＡ）、および第４辺（Ｓ４）に対応する第４周辺領域（ＰＡ）を含む。第１周辺領域（ＰＡ）〜第４周辺領域（ＰＡ）は、表示領域（ＤＡ）を囲む。
【００３４】
本発明の第１実施形態による有機発光表示装置１００１は、周辺領域（ＰＡ）に駆動回路（ＤＣ）が形成されているが、本発明の第２実施形態による有機発光表示装置は、周辺領域に駆動回路が形成されていなくてもよい。
【００３５】
以下、図２および図３を参照して、本発明の第１実施形態による有機発光表示装置１００１に含まれている画素（ＰＥ）の構造について詳しく説明する。
【００３６】
図２は本発明の第１実施形態による有機発光表示装置の画素を示した回路図である。
【００３７】
図２に示したように、本発明の第１実施形態による有機発光表示装置１００１に含まれている表示パネル１００は、一つの画素（ＰＥ）に有機発光素子（ｏｒｇａｎｉｃ  ｌｉｇｈｔ  ｅｍｉｔｔｉｎｇ  ｄｉｏｄｅ）７０、二つの薄膜トランジスタ（ｔｈｉｎ  ｆｉｌｍ  ｔｒａｎｓｉｓｔｏｒ、ＴＦＴ）１０、２０、および一つのキャパシタ（ｃａｐａｃｉｔｏｒ）８０を備えた２Ｔｒ-１Ｃａｐ構造からなる。しかし、本発明の第１実施形態はこれに限定されるのではない。従って、有機発光表示装置１００１は、一つの画素（ＰＥ）に三つ以上の薄膜トランジスタおよび二つ以上のキャパシタを備えることができ、別途の配線がさらに形成されて、多様な構造に形成される。このように追加形成される薄膜トランジスタおよびキャパシタは、補償回路の構成をなしてもよい。
【００３８】
補償回路は、画素（ＰＥ）毎に形成された有機発光素子７０の均一性を向上させて、表示品質に偏差が生じるのを抑制する。一般に、補償回路は、２つ〜８つの薄膜トランジスタを含む。
【００３９】
有機発光素子７０は、正孔注入電極であるアノード（ａｎｏｄｅ）電極、電子注入電極であるカソード（ｃａｔｈｏｄｅ）電極、およびアノード電極とカソード電極との間に配置された有機発光層を含む。
【００４０】
一つの画素（ＰＥ）は、第１薄膜トランジスタ１０および第２薄膜トランジスタ２０を含む。
【００４１】
第１薄膜トランジスタ１０および第２薄膜トランジスタ２０は、各々ゲート電極、半導体層、ソース電極、およびドレイン電極を含む。
【００４２】
図２にはゲートライン（ＧＬ）、データライン（ＤＬ）、および共通電源ライン（ＶＤＤ）と共にキャパシタライン（ＣＬ）が示されているが、本発明の第１実施形態による有機発光表示装置１００１に含まれている表示パネル１００の画素（ＰＥ）が図２に示された構造に限定されるのではない。従って、キャパシタライン（ＣＬ）は場合により省略されてもよい。
【００４３】
データライン（ＤＬ）には第１薄膜トランジスタ１０のソース電極が連結され、ゲートライン（ＧＬ）には第１薄膜トランジスタ１０のゲート電極が連結される。また、第１薄膜トランジスタ１０のドレイン電極は、キャパシタ８０を通してキャパシタライン（ＣＬ）と連結される。さらに、第１薄膜トランジスタ１０のドレイン電極とキャパシタ８０との間にノードが形成されて、第２薄膜トランジスタ２０のゲート電極が連結される。また、第２薄膜トランジスタ２０のソース電極には共通電源ライン（ＶＤＤＬ）が連結され、第２薄膜トランジスタ２０のドレイン電極には有機発光素子７０のアノード電極が連結される。
【００４４】
第１薄膜トランジスタ１０は、発光しようとする画素（ＰＥ）を選択するスイッチング素子として使用される。第１薄膜トランジスタ１０が瞬間的に導通されるとキャパシタ８０は蓄電され、この時に蓄電される電荷量はデータライン（ＤＬ）から印加される電圧の電位と比例する。そして、第１薄膜トランジスタ１０が遮断された状態でキャパシタライン（ＣＬ）に１フレーム周期で電圧が増加する信号が入力されると、第２薄膜トランジスタ２０のゲート電位は、キャパシタ８０に蓄電された電位を基準にして印加される電圧のレベルがキャパシタライン（ＣＬ）を通して印加される電圧に沿って上昇する。そして、第２薄膜トランジスタ２０は、ゲート電位がしきい電圧を超えると導通される。そして、後述する駆動部２００から共通電源ライン（ＶＤＤＬ）に印加された駆動電源である第１電源（ＶＤＤ）が第２薄膜トランジスタ２０を通して有機発光素子７０のアノード電極に印加される。
【００４５】
また、有機発光素子７０のカソード電極には駆動部２００から印加された駆動電源である第２電源（ＶＳＳ）が印加され、第２薄膜トランジスタ２０を通して有機発光素子７０のアノード電極に印加された第１電源（ＶＤＤ）およびカソード電極に印加された第２電源（ＶＳＳ）によって有機発光素子７０が発光される。
【００４６】
このような画素（ＰＥ）の構成は前述したとおりであるとは限らず、当該技術分野の従事者が容易に変形実施できる範囲内で多様に変形することができる。
【００４７】
図３は本発明の第１実施形態による有機発光表示装置の画素の一部を示した断面図である。図３では、本発明の第１実施形態による有機発光表示装置１００１の第２薄膜トランジスタ２０および有機発光素子７０の構造を中心に示した。
【００４８】
図３に示したように、第２薄膜トランジスタ２０は、半導体層（ＡＬ）、ゲート電極（ＧＥ）、ソース電極（ＳＥ）、およびドレイン電極（ＤＥ）を含む。
【００４９】
第２薄膜トランジスタ２０は、選択された画素（ＰＥ）内の有機発光素子７０を発光させるための駆動電源である第１電源（ＶＤＤ）の供給を共通電源ライン（ＶＤＤＬ）から受けて、ソース電極（ＳＥ）、半導体層（ＡＬ）、およびドレイン電極（ＤＥ）を経て有機発光素子７０の第１電極７１０に印加する。ドレイン電極（ＤＥ）から延長されて有機発光素子７０の第１電極７１０が位置し、ドレイン電極（ＤＥ）および第１電極７１０は互いに連結されている。
【００５０】
有機発光素子７０は、第１電極７１０、第１電極７１０上に位置する有機発光層７２０、有機発光層７２０上に位置する第２電極７３０を含む。
【００５１】
第１電極７１０は正孔注入電極であるアノード電極であり、第２電極７３０は電子注入電極であるカソード電極である。しかし、本発明の第１実施形態が必ずしもこれに限定されるのではなく、有機発光表示装置１００１の駆動方法により、第１電極７１０が負極となり、第２電極７３０が正極となってもよい。駆動部２００から供給される駆動電源である第１電源（ＶＤＤ）が第２薄膜トランジスタ２０によって第１電極７１０に供給され、駆動部２００から供給される駆動電源である第２電源（ＶＳＳ）が第２電極７３０に供給されると、第１電極７１０および第２電極７３０の各々から正孔および電子が有機発光層７２０の内部に注入され、有機発光層７２０の内部に注入された正孔および電子が結合された励起子（ｅｘｉｔｏｎ）が励起状態から基底状態に落ちる時に、有機発光層７２０が発光される。また、第１電極７１０は、インジウム錫酸化物（ｉｎｄｉｕｍ  ｔｉｎ  ｏｘｉｄｅ、ＩＴＯ）およびインジウム亜鉛酸化物（ｉｎｄｉｕｍ  Ｚｉｎｃ  ｏｘｉｄｅ、ＩＺＯ）などのうちの一つ以上を含む単層または複層の光透過性導電物質を含み、第２電極７３０は、アルミニウム（Ａｌ）および銀（Ａｇ）などのうちの一つ以上を含む単層または複層の光反射性導電物質を含む。
【００５２】
有機発光層７２０は、第１電極７１０および第２電極７３０から注入された正孔および電子が結合される層であり、赤色（Ｒｅｄ）、緑色（Ｇｒｅｅｎ）、または青色（Ｂｌｕｅ）の光を発光することができる。
【００５３】
このように、本発明の第１実施形態による有機発光表示装置１００１における有機発光素子３００は、第１基板１００方向に光を放出する。つまり、有機発光表示装置１００１は後面発光型である。
【００５４】
一方で、本発明の第２実施形態による有機発光表示装置は、第１電極が光反射性導電物質で構成され、第２電極が光透過性導電物質で構成されることによって、前面発光型の有機発光表示装置を実現することができ、または、第１電極および第２電極が光透過性導電物質で構成されることによって、両面発光型の有機発光表示装置を実現することができる。
【００５５】
このように、表示パネル１００の有機発光素子７０には駆動部２００から駆動電源が供給され、この供給された駆動電源によって有機発光素子７０が発光される。
【００５６】
再び図１を参照して、駆動部２００、電源伝達部３００、および電源連結部４００について詳しく説明する。
【００５７】
図１に示したように、駆動部２００は、複数の駆動チップ（ＩＣ）および印刷回路基板（ｐｒｉｎｔｅｄ  ｃｉｒｃｕｉｔ  ｂｏａｒｄｄ）（ＰＣＢ）を含む。印刷回路基板（ＰＣＢ）は、テープキャリアパッケージ（ｔａｐｅ  ｃａｒｒｉｅｒ  ｐａｃｋａｇｅ）（ＴＣＰ）によって表示パネル１００と電気的に連結される。
【００５８】
テープキャリアパッケージ（ＴＣＰ）は、複数が所定の間隔を有するように、表示パネル１００の第１周辺領域（ＰＡ１）に一端が付着され、印刷回路基板（ＰＣＢ）に他端が付着される。テープキャリアパッケージ（ＴＣＰ）は、一端および他端の各々が異方性導電フィルム（ａｎｉｓｏｔｒｏｐｉｃ  ｃｏｎｄｕｃｔｉｖｅ  ｆｉｌｍ、ＡＣＦ）などの連結部材によって表示パネル１００の駆動回路（ＤＣ）および印刷回路基板（ＰＣＢ）の各々と接続される。前記テープキャリアパッケージ（ＴＣＰ）によって、印刷回路基板（ＰＣＢ）は、表示パネル１００に駆動回路（ＤＣ）を通してゲートライン（ＧＬ）、データライン（ＤＬ）、共通電源ライン（ＶＤＤＬ）、第２電極７３０の各々にゲート電源、データ電源、共通電源である第１電源（ＶＤＤ）、カソード電源である第２電源（ＶＳＳ）を供給することができる。特に、駆動部２００は、有機発光素子７０を直接駆動する駆動電源を有機発光素子７０に供給するが、前述したように、駆動部２００から供給される駆動電源は第１電源（ＶＤＤ）および第２電源（ＶＳＳ）を含み、第１電源（ＶＤＤ）は有機発光素子７０のアノード電極である第１電極７１０に供給され、第２電源（ＶＳＳ）は有機発光素子７０のカソード電極である第２電極７３０に供給される。以上のような駆動部２００から供給される電源のうちの第１電源（ＶＤＤ）および第２電源（ＶＳＳ）を含む駆動電源は、駆動電源が供給される第２電極７３０の抵抗または共通電源ライン（ＶＤＤＬ）の抵抗などによる電圧降下などの不良が最少化されて第１電極７１０および第２電極７３０に供給されるが、これは電源伝達部３００および電源連結部４００によって行われる。
【００５９】
電源伝達部３００は複数であり、複数の周辺領域（ＰＡ）の各々に対応して各々が表示パネル１００と連結されている。電源伝達部３００は、駆動部２００から第１電源（ＶＤＤ）および第２電源（ＶＳＳ）を含む駆動電源の供給を受けて、駆動回路（ＤＣ）を通して有機発光素子７０に駆動電源を伝達する。複数の電源伝達部３００は、第１電源伝達部３１０、第２電源伝達部３２０、および第３電源伝達部３３０を含む。
【００６０】
第１電源伝達部３１０は、表示パネル１００の第２周辺領域（ＰＡ）に対応して表示パネル１００と駆動部２００との間を連結する。第１電源伝達部３１０は、駆動部２００から有機発光素子７０を駆動するための駆動電源の供給を受けて、表示領域（ＤＡ）の第２辺（Ｓ２）に対応して位置する画素（ＰＥ）内に形成された有機発光素子７０に駆動電源である第１電源（ＶＤＤ）および第２電源（ＶＳＳ）を伝達する。第１電源伝達部３１０は、異方性導電フィルムなどの連結部材を利用して一端および他端の各々が表示パネル１００の駆動回路（ＤＣ）および駆動部２００の各々と接続される。
【００６１】
第２電源伝達部３２０は、表示パネル１００の第３周辺領域（ＰＡ）に対応して表示パネル１００と駆動部２００との間を連結する。第２電源伝達部３２０は、駆動部２００から有機発光素子７０を駆動するための駆動電源の供給を受けて、表示領域（ＤＡ）の第３辺（Ｓ３）に対応して位置する画素（ＰＥ）内に形成された有機発光素子７０に駆動電源である第１電源（ＶＤＤ）および第２電源（ＶＳＳ）を伝達する。第２電源伝達部３２０は、異方性導電フィルムなどの連結部材を利用して一端および他端の各々が表示パネル１００の駆動回路（ＤＣ）および駆動部２００の各々と接続される。
【００６２】
第３電源伝達部３３０は、表示パネル１００の第４周辺領域（ＰＡ）に対応して表示パネル１００と電源連結部４００との間を連結する。第３電源伝達部３３０は、駆動部２００から電源連結部４００を通して有機発光素子７０を駆動するための駆動電源の供給を受けて、表示領域（ＤＡ）の第４辺（Ｓ４）に対応して位置する画素（ＰＥ）内に形成された有機発光素子７０に駆動電源である第１電源（ＶＤＤ）および第２電源（ＶＳＳ）を伝達する。第３電源伝達部３３０は、異方性導電フィルムなどの連結部材を利用して一端が表示パネル１００の駆動回路（ＤＣ）と接続される。第３電源伝達部３３０は、同一形状に複数が形成され、複数の第３電源伝達部３３０の各々が電源連結部４００と連結されるが、隣接する第３電源伝達部３３０は互いに離隔されている。
【００６３】
第１電源伝達部３１０、第２電源伝達部３２０、および第３電源伝達部３３０は、表示パネル１００と連結されるため、一般に構造が複雑であり、例えば電源伝達部３００はフレキシブルプリント回路基板（ｆｌｅｘｉｂｌｅ  ｐｒｉｎｔｅｄ  ｃｉｒｃｕｉｔ  ｂｏａｒｄ、ＦＰＣＢ）であるが、これに限られない。
【００６４】
電源連結部４００は、駆動部２００と第３電源伝達部３３０との間を連結し、駆動部２００から第１電源（ＶＤＤ）および第２電源（ＶＳＳ）を含む駆動電源の供給を受けて、電源伝達部３００に伝達する。電源連結部４００は、駆動部２００から電源伝達部３００に駆動電源だけを供給するため、表示パネル１００と連結されるために構造が複雑な電源伝達部３００に比べて構造が単純なケーブルを使用することができる。例えば、電源連結部４００は、フレキシブルフラットケーブル（ｆｌｅｘｉｂｌｅ  ｆｌａｔ  ｃａｂｌｅ、ＦＦＣ）であるが、これに限定されない。このように、電源連結部４００は、電源伝達部３００に比べて構造が単純であるため、電源連結部４００と駆動部２００との間の連結、および電源連結部４００と電源伝達部３００との間の連結が異方性導電フィルムで行われる必要がなく、一般の雌コネクタおよび雄コネクタを含むコネクタ（ｃｏｎｎｅｃｔｏｒ）（Ｃ）を利用して行われる。
【００６５】
以上のように、本発明の第１実施形態による有機発光表示装置１００１は、表示パネル１００の表示領域（ＤＡ）の第１辺（Ｓ１）〜第４辺（Ｓ４）の各々に有機発光素子７０を駆動する第１電源（ＶＤＤ）および第２電源（ＶＳＳ）を含む駆動電源が供給されることによって、大きいサイズの表示パネル１００であっても表示パネル１００に含まれている有機発光素子７０全体に実質的に同一な駆動電源が供給されるため、表示パネル１００全体に輝度が均一なイメージが具現される。つまり、表示品質が向上された有機発光表示装置１００１が提供される。
【００６６】
また、本発明の第１実施形態による有機発光表示装置１００１は、駆動部２００と隣接する電源伝達部３００は駆動部２００と直接的に連結され、駆動部２００と離隔されている電源伝達部３００は電源連結部４００を通して駆動部２００と間接的に連結されることによって、駆動部２００と離隔されている電源伝達部３００そのもののサイズが電源伝達部３００が表示パネル１００に連結された部分から駆動部２００が位置する部分まで延長される必要がない。つまり、表示パネル１００のサイズが大きくなっても、表示パネル１００と連結される電源伝達部３００のサイズを大きくする必要がないため、電源伝達部３００のサイズを大きくするための製造時間および製造費用を節減することができる。これは、有機発光表示装置１００１の全体的な製造時間および製造費用を節減させる要因として作用する。
【００６７】
また、本発明の第１実施形態による有機発光表示装置１００１は、複数の電源伝達部３００によって表示パネル１００の表示領域（ＤＡ）に位置する有機発光素子７０に駆動部２００から供給された駆動電源が伝達されるため、テープキャリアパッケージ（ＴＣＰ）だけで有機発光素子７０に駆動電源を入力する方式に比べて、表示パネル１００の有機発光素子７０に供給される駆動電源を分散させて伝達することができる。これは、有機発光素子７０に印加される駆動電源が一部分から伝達されるのを防止するため、有機発光表示装置１００１の全体的な駆動信頼性が向上する要因として作用する。
【００６８】
また、本発明の第１実施形態による有機発光表示装置１００１は、表示パネル１００と連結される部分である電源伝達部３００は比較的構造が複雑なフレキシブルプリント回路基板を使用するが、駆動部２００と電源伝達部３００との間を連結する部分は電源伝達部３００に比べて構造が簡単なフレキシブルフラットケーブルを使用することができるため、有機発光表示装置１００１の製造時間および製造費用を節減することができる。
【００６９】
このように、本発明の第１実施形態による有機発光表示装置１００１は、サイズが大きくなった表示パネル１００に十分な駆動電源を供給することができると共に、製造時間および製造費用を節減することができる。
【００７０】
以下、図４を参照して、本発明の第２実施形態による有機発光表示装置１００２について説明する。
【００７１】
図４は本発明の第２実施形態による有機発光表示装置を示した平面図である。
【００７２】
図４に示したように、電源伝達部３００は複数であり、複数の周辺領域（ＰＡ）の各々に対応して各々が表示パネル１００と連結されている。電源伝達部３００は、駆動部２００から第１電源（ＶＤＤ）および第２電源（ＶＳＳ）を含む駆動電源の供給を受けて、駆動回路（ＤＣ）を通して有機発光素子７０に駆動電源を伝達する。複数の電源伝達部３００は、第４電源伝達部３４０、第５電源伝達部３５０、第６電源伝達部３６０、および第７電源伝達部３７０を含む。
【００７３】
第４電源伝達部３４０は、表示パネル１００の第１周辺領域（ＰＡ）に対応して表示パネル１００と駆動部２００との間を連結する。第４電源伝達部３４０は、駆動部２００から有機発光素子７０を駆動するための駆動電源の供給を受けて、表示領域（ＤＡ）の第１辺（Ｓ１）に対応して位置する画素（ＰＥ）内に形成された有機発光素子７０に駆動電源である第１電源（ＶＤＤ）および第２電源（ＶＳＳ）を伝達する。第１電源伝達部３１０は、異方性導電フィルムなどの連結部材を利用して一端および他端の各々が表示パネル１００の駆動回路（ＤＣ）および駆動部２００の各々と接続される。第４電源伝達部３４０は複数であり、各々の第４電源伝達部３４０は、隣接するテープキャリアパッケージ（ＴＣＰ）の間に配置される。
【００７４】
第５電源伝達部３５０は、表示パネル１００の第２周辺領域（ＰＡ）に対応して表示パネル１００と電源連結部４００との間を連結する。第５電源伝達部３５０は、駆動部２００から電源連結部４００を通して有機発光素子７０を駆動するための駆動電源の供給を受けて、表示領域（ＤＡ）の第２辺（Ｓ２）に対応して位置する画素（ＰＥ）内に形成された有機発光素子７０に駆動電源である第１電源（ＶＤＤ）および第２電源（ＶＳＳ）を伝達する。第５電源伝達部３５０は、異方性導電フィルムなどの連結部材を利用して一端が表示パネル１００の駆動回路（ＤＣ）と接続される。第５電源伝達部３５０は複数であり、隣接する第５電源伝達部３５０の間は電源連結部４００によって連結される。
【００７５】
第６電源伝達部３６０は、表示パネル１００の第３周辺領域（ＰＡ）に対応して表示パネル１００と電源連結部４００との間を連結する。第６電源伝達部３６０は、駆動部２００から電源連結部４００を通して有機発光素子７０を駆動するための駆動電源の供給を受けて、表示領域（ＤＡ）の第３辺（Ｓ３）に対応して位置する画素（ＰＥ）内に形成された有機発光素子７０に駆動電源である第１電源（ＶＤＤ）および第２電源（ＶＳＳ）を伝達する。第６電源伝達部３６０は、異方性導電フィルムなどの連結部材を利用して一端が表示パネル１００の駆動回路（ＤＣ）と接続される。第６電源伝達部３６０は複数であり、隣接する第６電源伝達部３６０の間は電源連結部４００によって連結される。
【００７６】
第７電源伝達部３７０は、表示パネル１００の第４周辺領域（ＰＡ）に対応して表示パネル１００と電源連結部４００との間を連結する。第７電源伝達部３７０は、駆動部２００から電源連結部４００を通して有機発光素子７０を駆動するための駆動電源の供給を受けて、表示領域（ＤＡ）の第４辺（Ｓ４）に対応して位置する画素（ＰＥ）内に形成された有機発光素子７０に駆動電源である第１電源（ＶＤＤ）および第２電源（ＶＳＳ）を伝達する。第７電源伝達部３７０は、異方性導電フィルムなどの連結部材を利用して一端が表示パネル１００の駆動回路（ＤＣ）と接続される。第７電源伝達部３７０は複数であり、隣接する第７電源伝達部３７０の間は電源連結部４００によって連結される。複数の第７電源伝達部３７０のうちの第５電源伝達部３５０と隣接される第７電源伝達部３７０は電源連結部４００によって第５電源伝達部３５０と連結され、第６電源伝達部３６０と隣接する第７電源伝達部３７０は電源連結部４００によって第６電源連結部と連結される。つまり、第７電源伝達部３７０は、電源連結部４００および第５電源伝達部３５０、または電源連結部４００および第６電源伝達部３６０を通して駆動部２００と連結され、駆動部２００から駆動電源の伝達を受けて、表示パネル１００の表示領域（ＤＡ）の第４辺（Ｓ４）に対応して位置する画素（ＰＥ）内に形成された有機発光素子７０に駆動電源を伝達する。
【００７７】
電源連結部４００は、駆動部２００と第５電源伝達部３５０との間、駆動部２００と第６電源伝達部３６０との間、複数の第５電源伝達部３５０のうちの隣接する第５電源伝達部３５０の間、または複数の第６電源伝達部３６０のうちの隣接する第６電源伝達部３６０の間を連結し、駆動部２００から第１電源（ＶＤＤ）および第２電源（ＶＳＳ）を含む駆動電源の供給を受けて、第５電源伝達部３５０、第６電源伝達部３６０、および第７電源伝達部３７０に伝達する。電源連結部４００は、駆動部２００から電源伝達部３００に駆動電源だけを供給するため、表示パネル１００と連結されるために構造が複雑な電源伝達部３００に比べて構造が単純である。このように、電源連結部４００は、電源伝達部３００に比べて構造が単純であるため、電源連結部４００と連結される駆動部２００、第５電源伝達部３５０、第６電源伝達部３６０、および第７電源伝達部３７０の各々の間の連結が異方性導電フィルムで行われる必要がなく、一般の雌コネクタおよび雄コネクタを含むコネクタ（ｃｏｎｎｅｃｔｏｒ）（Ｃ）を利用して行われる。
【００７８】
以上のように、本発明の第２実施形態による有機発光表示装置１００２は、表示パネル１００のサイズが大きくなっても、設定されたサイズの電源伝達部３００の間を電源連結部４００を利用して連結し、複数の設定されたサイズの電源伝達部３００と連結して、サイズが大きくなった表示パネル１００に使用することができるため、追加的にサイズが大きくなった表示パネル１００に対応して電源伝達部３００のサイズを大きくする必要がないばかりか、サイズが大きくなった電源伝達部３００に対応して設定されたサイズの電源伝達部３００を取り扱うことができる工程設備からサイズが大きくなった電源伝達部３００を取り扱うことができる他の工程設備に交換する必要がない。これは、有機発光表示装置１００２の全体的な製造時間および製造費用を節減させる要因として作用する。
【００７９】
このように、本発明の第２実施形態による有機発光表示装置１００２は、サイズが大きくなった表示パネル１００に十分な駆動電源を供給することができると共に、製造時間および製造費用を節減することができる。
【００８０】
また、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８１】
１００    表示パネル
１０、２０    薄膜トランジスタ
１１０、１２０    基板
１００１、１００２    有機発光表示装置
２００    駆動部
３００    電源伝達部
４００    電源連結部
７０    有機発光素子
７１０、７３０    電極
７２０    有機発光層
８０    キャパシタ
【図１】
2011141515.tif 000003
【図２】
2011141515.tif 000004
【図３】
2011141515.tif 000005
【図４】
2011141515.tif 000006